(57)【要約】【課題】筒型高圧カットアウトの一次側配電線を地絡させることができる筒型高圧カットアウト用接地工具を提供する。【解決手段】ヒューズ体を収容可能な筒型高圧カットアウトに対して用いられる筒型高圧カットアウト用接地工具１０であって、筒型高圧カットアウトの内部に形成された収容部に挿入される棒状の本体部１１と、本体部の一部に形成され、筒型高圧カットアウトに形成された一次側電極と当接可能に構成された電極当接部１３と、電極当接部と電気的に接続され、本体部の内部に配された導体部１９と、を備え、導体部が接地可能に構成されている。【選択図】図１
2010259144.tif 000002
【特許請求の範囲】
【請求項１】
ヒューズ体を収容可能な筒型高圧カットアウトに対して用いられる筒型高圧カットアウト用接地工具であって、
前記筒型高圧カットアウトの内部に形成された収容部に挿入される棒状の本体部と、
該本体部の一部に形成され、前記筒型高圧カットアウトに形成された一次側電極と当接可能に構成された電極当接部と、
該電極当接部と電気的に接続され、前記本体部の内部に配された導体部と、を備え、
該導体部が接地可能に構成されていることを特徴とする筒型高圧カットアウト用接地工具。
【請求項２】
前記本体部の一部に径方向に膨出するとともに、周面が絶縁部材で構成されたフランジ部が形成され、
該フランジ部が前記筒型高圧カットアウトに形成された二次側電極と当接されて、前記本体部を前記収容部内に保持可能に構成されていることを特徴とする請求項１に記載の筒型高圧カットアウト用接地工具。
【発明の詳細な説明】
【技術分野】
【０００１】
本発明は、筒型高圧カットアウト用接地工具に関するものである。
【背景技術】
【０００２】
従来から、高圧配電線路を構成する一次側配電線と二次側配電線とは、高圧カットアウトを介して電気的に接続されている。高圧カットアウトにはヒューズ体が収容され、ヒューズ体に過電流が流れると、ヒューズ体が機能して過電流が二次側配電線に流れなくなるように構成されている。
このような高圧配電線路においてメンテナンスなどの作業を行う際には、高圧配電線路を停電状態にする。従来、高圧配電線路を停電状態にするためには、地上変圧器箱（パットマントランス）に接地線を取り付けて作業を行うことが多かった。しかしながら、鉄道線路のそばに配置されている地上変圧器箱はコンパクト設計がなされているため、接地線の取り付け箇所が少ないという問題がある。
そこで、特許文献１のように、高圧カットアウトに収容されたヒューズ体を取り出し、高圧カットアウトに接地工具を挿入して接地をする器具が提案されている。
【先行技術文献】
【特許文献】
【０００３】
【特許文献１】特開２００８−７１６４０号公報
【発明の概要】
【発明が解決しようとする課題】
【０００４】
ところで、上述の特許文献１は、一次側配電線を地絡させることができないという問題がある。また、地絡器具を高圧カットアウト内に保持するために棒状体を回転させて弾性体を変形させる必要があり、作業に手間がかかるという問題がある。
【０００５】
そこで、本発明は、上述の事情を鑑みてなされたものであり、筒型高圧カットアウトの一次側配電線を地絡させることができる筒型高圧カットアウト用接地工具を提供するものである。
【課題を解決するための手段】
【０００６】
上記の課題を解決するために、請求項１に記載した発明は、ヒューズ体を収容可能な筒型高圧カットアウトに対して用いられる筒型高圧カットアウト用接地工具であって、前記筒型高圧カットアウトの内部に形成された収容部に挿入される棒状の本体部と、該本体部の一部に形成され、前記筒型高圧カットアウトに形成された一次側電極と当接可能に構成された電極当接部と、該電極当接部と電気的に接続され、前記本体部の内部に配された導体部と、を備え、該導体部が接地可能に構成されていることを特徴としている。
【０００７】
請求項２に記載した発明は、前記本体部の一部に径方向に膨出するとともに、周面が絶縁部材で構成されたフランジ部が形成され、該フランジ部が前記筒型高圧カットアウトに形成された二次側電極と当接されて、前記本体部を前記収容部内に保持可能に構成されていることを特徴としている。
【発明の効果】
【０００８】
請求項１に記載した発明によれば、筒型高圧カットアウト用接地工具の本体部を筒型高圧カットアウトの収容部に挿入して、本体部に形成された電極当接部を一次側電極に当接させるとともに、導体部を接地させることで筒型高圧カットアウトの一次側電極を地絡させることができる。したがって、より安全に停電作業を行うことができる。
【０００９】
請求項２に記載した発明によれば、筒型高圧カットアウト用接地工具の本体部に形成されたフランジ部を二次側電極に当接させることにより、収容部内における一次側電極および二次側電極で本体部が当接される。したがって、本体部を収容部内に確実に保持させることができ、筒型高圧カットアウトの一次側電極を確実に地絡させることができる。
【図面の簡単な説明】
【００１０】
【図１】本発明の実施形態における筒型高圧カットアウト用接地工具の正面図である。
【図２】本発明の実施形態における接地工具をＣＦカットアウト用接地工具に取り付けた状態を示す正面図である。
【図３】本発明の実施形態における変圧器箱の概略構成を示す図である。
【図４】本発明の実施形態における接地工具を高圧カットアウトに取り付けた状態を示す説明図である。
【発明を実施するための形態】
【００１１】
次に、本発明の実施形態を図１〜図４に基づいて説明する。
図１は、筒型高圧カットアウト用接地工具の正面図である。
図１に示すように、筒型高圧カットアウト用接地工具（以下、接地工具という。）１０は、棒状の本体部１１と、本体部１１の先端部１１ａから若干基端部１１ｂ側に寄った位置に周方向に沿って形成された電極当接部１３と、本体部１１の基端部１１ｂ側に形成されたフランジ部１５と、接地線に接続される接続部１７と、を備えている。また、電極当接部１３と接続部１７との間を電気的に接続する導体部１９が本体部１１の内部に設けられている。
【００１２】
本体部１１は、樹脂で成形された円筒状の部材である。本体部１１は、筒型高圧カットアウト（以下、高圧カットアウトという。）５０の内部に形成された収容部５３に収容可能な大きさで形成されている（後に詳述する）。
【００１３】
また、図２に示すように、本体部１１の基端部１１ｂに形成されている接続部１７の底面１７ａには、略中央部にネジ穴２１が形成されており、一般的に用いられているＣＦカットアウト用接地工具２３の先端部２３ａに螺合されるようになっている。先端部２３ａは金属で形成されている。なお、ＣＦカットアウト用接地工具２３の基端部２３ｂには、先端部２３ａと電気的に接続された接地電極線２５が延設されており、接地電極線２５が接地クランプ２７に接続されている。そして、接地クランプ２７が接地可能に構成されている。
【００１４】
つまり、接地工具１０をＣＦカットアウト用接地工具２３に接続し、ＣＦカットアウト用接地工具２３を接地させることにより、接地工具１０の電極当接部１３、接続部１７および導体部１９を接地電位に保持することができる。
【００１５】
一方、図３に示すように、変圧器箱４０には、変圧器４１が配されており、外部から受電された高圧電圧を変圧器４１において低圧に降下して、各種低圧負荷に対して電圧を供給するように構成されている。なお、外部から高圧電圧を受電している受電線４２は、変圧器箱４０内において分岐し、別の負荷場所へ向けて分岐線４３が設けられている。また、受電線４２（一次側配電線５１）は、高圧カットアウト５０の一次側に接続されており、高圧カットアウト５０を介して二次側にさらに延設されている。高圧カットアウト５０の二次側の受電線４２（二次側配電線５２）は、変圧器４１に接続され、変圧器４１において低圧に降下した電圧を各負荷に対して供給するための負荷電線４５が接続されている。
【００１６】
図４に示すように、高圧カットアウト５０は、高圧電力の一次側配電線５１と、変圧器に至る二次側配電線５２との間に介装されている。高圧カットアウト５０の内部に形成された収容部５３にヒューズ体（不図示）が収容可能に構成されており、高圧カットアウト５０に過電流が流れるとヒューズ体が機能して、二次側配電線５２に過電流が流れないようになっている。高圧カットアウト５０は有底筒状に形成されており、高圧カットアウト５０における軸方向一端側に開口部５５が形成され、開口部５５から軸方向に沿って収容部５３が形成されている。高圧カットアウト５０における開口部５５が形成された側を基端部５６とし、基端部５６の反対側を先端部５７とする。つまり、先端部５７側に一次側配電線５１が接続されており、基端部５６側に二次側配電線５２が接続されている。
【００１７】
収容部５３における先端部５７側には一次側配電線５１と電気的に接続された一次側電極６１が形成されており、基端部５６側には二次側配電線５２と電気的に接続された二次側電極６２が形成されている。一次側電極６１および二次側電極６２は、ともに収容部５３の内周壁５３ａを周方向に沿って形成されている。また、収容部５３における二次側電極６２の先端部５７側には、収容部５３の径が小さくなるように段差部５９が形成されている。段差部５９には、接地工具１０のフランジ部１５が当接可能になっており、接地工具１０の軸方向の位置決めができるようになっている。そして、接地工具１０を収容部５３内に配したときに、電極当接部１３が一次側電極６１に当接し、フランジ部１５が二次側電極６２に当接するようになっている。
【００１８】
次に、高圧配電線路の停電作業を行う際に、接地工具１０を高圧カットアウト５０に取り付ける方法について説明する。
【００１９】
まず、停電作業を行う際に、高圧カットアウト５０に取り付けられているヒューズ体を取り外す。
続いて、接地されたＣＦカットアウト用接地工具２３の先端部２３ａに接地工具１０を取り付け、接地工具１０の本体部１１を高圧カットアウト５０の収容部５３内へ挿入する。
【００２０】
そして、本体部１１の電極当接部１３が収容部５３内の一次側電極６１に当接するまで挿入する。なお、接地工具１０のフランジ部１５が段差部５９に当接するまで本体部１１を挿入することで、電極当接部１３と一次側電極６１とが当接するようになっている。また、二次側電極６２はフランジ部１５の周面に当接しており、これにより本体部１１はより確実に収容部５３内に保持される（図４参照）。
このように接地工具１０を高圧カットアウト５０に取り付けることで、一次側配電線５１（一次側電極６１）を接地させることができる。
【００２１】
本実施形態によれば、筒型高圧カットアウト５０用の接地工具１０の本体部１１を高圧カットアウト５０の収容部５３に挿入して、本体部１１に形成された電極当接部１３を一次側電極６１に当接させるとともに、導体部１９を接地させることで高圧カットアウト５０の一次側電極６１を地絡させることができる。したがって、より安全に停電作業を行うことができる。
【００２２】
また、接地工具１０の本体部１１に形成されたフランジ部１５を二次側電極６２に当接させることにより、収容部５３内における一次側電極６１および二次側電極６２で本体部１１が当接される。したがって、本体部１１を収容部５３内に確実に保持させることができ、高圧カットアウト５０の一次側電極６１を確実に地絡させることができる。
【００２３】
なお、本実施形態において、ＣＦカットアウト用接地工具２３と接地工具１０とは螺合することで接続できるため、接地工具１０の代わりにそれぞれのカットアウトに対応する形状の接地工具を取り付けることで、全てのカットアウトに対して容易に停電作業を実施することが可能となる。
【００２４】
尚、本発明は、上述した実施形態に限定されるものではなく、本発明の趣旨を逸脱しない範囲において、上述した実施形態に種々の変更を加えたものを含む。すなわち、実施形態で挙げた具体的な材料や構成等は一例にすぎず、適宜変更が可能である。
例えば、本実施形態では、一次側電極６１が本体部１１の先端部１１ａ側に配され、二次側電極６２が基端部１１ｂ側に配された場合の説明をしたが、高圧カットアウトの一次側電極および二次側電極に対応した位置に電極当接部などを配置すればよい。
【符号の説明】
【００２５】
１０…接地工具（筒型高圧カットアウト用接地工具）  １１…本体部  １３…電極当接部  １５…フランジ部  １９…導体部  ５０…高圧カットアウト（筒型高圧カットアウト）  ５３…収容部  ６１…一次側電極  ６２…二次側電極
【図１】
2010259144.tif 000003
【図２】
2010259144.tif 000004
【図３】
2010259144.tif 000005
【図４】
2010259144.tif 000006